(57)【要約】【課題】匍匐害虫捕獲器の載置面が平坦でない場合であっても匍匐害虫捕獲器を安定した状態で載置できるようにして狙いとする捕獲能力が得られるようにする。【解決手段】容器２には、匍匐害虫を導入空間Ｒ１、Ｒ２に導入するための導入口１４ａ、１５ａが形成されている。容器２の底壁部１２、１３は、載置面２００との間に隙間Ｓを有するように形成されている。【選択図】図６
2019170204.tif 000002
【特許請求の範囲】
【請求項１】
匍匐害虫を導入する導入空間を形成する容器を備え、該容器に導入した匍匐害虫を捕獲する匍匐害虫捕獲器において、
上記容器には、匍匐害虫を上記導入空間に導入するための導入口が形成され、
上記容器の底壁部は、該底壁部の一部と上記匍匐害虫捕獲器の載置面との間に隙間を有するように、該底壁部の一部が該載置面から離れるように形成されていることを特徴とする匍匐害虫捕獲器。
【請求項２】
請求項１に記載の匍匐害虫捕獲器において、
上記導入口は、上記容器の端壁部に形成され、
上記容器の上記底壁部は、上記端壁部の下端部に連なり、該端壁部と連なる部分が最も低く、該端壁部から離れるに従って上に位置するように傾斜していることを特徴とする匍匐害虫捕獲器。
【請求項３】
請求項１に記載の匍匐害虫捕獲器において、
平面視で上記容器の中央部を挟むように位置する第１端壁部及び第２端壁部に、第１導入口及び第２導入口がそれぞれ形成され、
上記容器の上記底壁部は、上記第１端壁部の下端部に連なり、該第１端壁部と連なる部分が最も低く、該第２端壁部側へ行くに従って上に位置するように傾斜した第１底壁部と、上記第２端壁部の下端部に連なり、該第２端壁部と連なる部分が最も低く、該第１端壁部側へ行くに従って上に位置するように傾斜した第２底壁部とを有していることを特徴とする匍匐害虫捕獲器。
【請求項４】
請求項３に記載の匍匐害虫捕獲器において、
上記容器の上記第１底壁部における上記第２端壁部側の部分と、上記容器の上壁部との間に、匍匐害虫を誘引する誘引剤を含む誘引部材が設けられていることを特徴とする匍匐害虫捕獲器。
【請求項５】
請求項４に記載の匍匐害虫捕獲器において、
上記誘引部材は、上記容器の上記第２底壁部における上記第１端壁部側の部分と、上記容器の上壁部との間に位置するように形成されていることを特徴とする匍匐害虫捕獲器。
【請求項６】
請求項１から５のいずれか１つに記載の匍匐害虫捕獲器において、
上記容器の上壁部には、匍匐害虫を付着させて捕獲する粘着剤が設けられていることを特徴とする匍匐害虫捕獲器。
【請求項７】
請求項１から６のいずれか１つに記載の匍匐害虫捕獲器において、
上記容器には、上記導入口の下縁部から該容器の外方へ延出して上記載置面に載置される延出板部が設けられていることを特徴とする匍匐害虫捕獲器。
【請求項８】
請求項６に記載の匍匐害虫捕獲器において、
上記容器は、上記導入口から該容器の奥へ行くほど上下方向の寸法が短くなるように形成されていることを特徴とする匍匐害虫捕獲器。
【発明の詳細な説明】
【技術分野】
【０００１】
本発明は、例えばゴキブリ等の匍匐害虫を捕獲する匍匐害虫捕獲器に関する。
【背景技術】
【０００２】
従来より、一般家庭等ではゴキブリを捕獲するゴキブリ捕獲器が使用されている。ゴキブリ捕獲器は例えば床面等に設置しておき、床面を歩行するゴキブリを、ゴキブリ捕獲器に形成されている導入口から内部に導入し、内部に設けられている粘着剤により捕獲することができるように構成されている（例えば、特許文献１〜５参照）。
【０００３】
特許文献１のゴキブリ捕獲器は、小箱状の容器を複数段積み重ねて構成されており、各容器の内部の底面は水平方向に延びており、その底面に粘着剤が設けられている。
【０００４】
特許文献２のゴキブリ捕獲器は、底板部が水平方向に延びる一方、上板部は容器の奥側へ行くほど下に位置するように傾斜している。上板部の内面に粘着剤が設けられている。
【０００５】
特許文献３のゴキブリ捕獲器は、底板部が水平方向に延びる一方、上板部はその長手方向一方側の端部から中央部に近づくほど下に位置するように傾斜し、また長手方向他方側の端部から中央部に近づくほど下に位置するように傾斜している。上板部の内面における長手方向一方側と他方側にそれぞれ粘着剤が設けられており、容器の一方側から侵入可能な空間と、他方側から侵入可能な空間とが並設されている。
【０００６】
特許文献４のゴキブリ捕獲器は、底板部が水平方向に延びる一方、上板部は底板部と略平行に延びる部分と、底板部に対して傾斜する部分とを有している。上板部の内面に粘着剤が設けられている。
【０００７】
特許文献５のゴキブリ捕獲器は、底板部が水平方向に延びており、この底板部と上板部との間に山型に形成された中間板を設けている。底板部の上面と、中間板の上面に粘着剤が設けられている。
【先行技術文献】
【特許文献】
【０００８】
【特許文献１】特許第４３９２６９８号公報
【特許文献２】特開２００６−１３６２９６号公報
【特許文献３】実開昭４９−１１２７６８号公報
【特許文献４】特許第２６９４３３８号公報
【特許文献５】特開平６−３２７３８９号公報
【発明の概要】
【発明が解決しようとする課題】
【０００９】
ところで、市販されているゴキブリ捕獲器の多くは、特許文献１〜５のように容器の内面に、ゴキブリを捕獲するための粘着剤を設けた構造となっているとともに、容器の底面が平坦に形成されており、その全面が床面に沿って延びるように形成されている。
【００１０】
しかしながら、ゴキブリ捕獲器を載置する床面は、全てが平坦であるとは限らず、突出物があったり、電源コードが配設してあったりすることがある。一方、ゴキブリ捕獲器は、ゴキブリの通り道となりそうな所やゴキブリが歩行していそうな所等、捕獲に適した所に置く必要があるが、そのような所に突出物や電源コードがあると、特許文献１〜５のように底面が平坦なゴキブリ捕獲器を置こうとしたとき、ゴキブリ捕獲器が突出物や電源コードに乗った状態になって不安定な姿勢になり、ひいてはゴキブリを容器の内部に導入しにくくなるおそれがある。また、突出物や電源コードにゴキブリ捕獲器が乗った状態では、ゴキブリ捕獲器の一部の導入口が床面から浮いてしまい、有効に機能しなくなることも考えられる。これらのことは匍匐害虫捕獲器の捕獲能力を低下させることに繋がる。
【００１１】
本発明は、かかる点に鑑みてなされたものであり、その目的とするところは、匍匐害虫捕獲器の載置面が平坦でない場合であっても匍匐害虫捕獲器を安定した状態で載置できるようにして狙いとする捕獲能力が得られるようにすることにある。
【課題を解決するための手段】
【００１２】
上記目的を達成するために、本発明では、匍匐害虫の導入空間を形成する容器の底壁部の一部を載置面から離れるように形成して、底壁部の一部と載置面との間に隙間を設けることができるようにした。
【００１３】
第１の発明は、匍匐害虫を導入する導入空間を形成する容器を備え、該容器に導入した匍匐害虫を捕獲する匍匐害虫捕獲器において、上記容器には、匍匐害虫を上記導入空間に導入するための導入口が形成され、上記容器の底壁部は、該底壁部の一部と上記匍匐害虫捕獲器の載置面との間に隙間を有するように、該底壁部の一部が該載置面から離れるように形成されていることを特徴とする。
【００１４】
この構成によれば、匍匐害虫捕獲器を載置面に載置すると、容器の底壁部の一部と載置面との間に隙間ができるので、載置面に突出部や電源コード（以下、突出部等という。）があった場合に、突出部等を上記隙間内に配置するか、突出部等が上記隙間内に位置するように匍匐害虫捕獲器を配置することで、匍匐害虫捕獲器が突出物等に乗った状態とはならず、姿勢が安定する。また、匍匐害虫捕獲器の導入口が載置面から浮いてしまうのを抑制することをも可能になる。
【００１５】
尚、突出部等が無い載置面に、本発明の匍匐害虫捕獲器を載置することもできる。
【００１６】
第２の発明は、上記導入口は、上記容器の端壁部に形成され、上記容器の上記底壁部は、上記端壁部の下端部に連なり、該端壁部と連なる部分が最も低く、該端壁部から離れるに従って上に位置するように傾斜していることを特徴とする。
【００１７】
この構成によれば、導入口が形成された端壁部が低くなるので、匍匐害虫が導入口に入り易くなる。また、底壁部を傾斜させることで、底壁部と載置面との間に次第に広がるような隙間が形成されることになり、突出部等の突出高さに対応した隙間が容易に得られる。
【００１８】
第３の発明は、平面視で上記容器の中央部を挟むように位置する第１端壁部及び第２端壁部に、第１導入口及び第２導入口がそれぞれ形成され、上記容器の上記底壁部は、上記第１端壁部の下端部に連なり、該第１端壁部と連なる部分が最も低く、該第２端壁部側へ行くに従って上に位置するように傾斜した第１底壁部と、上記第２端壁部の下端部に連なり、該第２端壁部と連なる部分が最も低く、該第１端壁部側へ行くに従って上に位置するように傾斜した第２底壁部とを有していることを特徴とする。
【００１９】
この構成によれば、第１導入口が形成された第１端壁部及び第２導入口が形成された第２端壁部が低くなるので、匍匐害虫が導入口に入り易くなる。また、第１底壁部及び第２底壁部と載置面との間に次第に広がるような隙間が形成されることになり、突出部等の突出高さに対応した隙間が容易に得られる。
【００２０】
第４の発明は、上記容器の上記第１底壁部における上記第２端壁部側の部分と、上記容器の上壁部との間に、匍匐害虫を誘引する誘引剤を含む誘引部材が設けられていることを特徴とする。
【００２１】
この構成によれば、第１導入口の奥の方に誘引部材が配置されることになるので、第１導入口から入った匍匐害虫を容器の奥側まで誘き寄せることができる。
【００２２】
第５の発明は、上記誘引部材は、上記容器の上記第２底壁部における上記第１端壁部側の部分と、上記容器の上壁部との間に位置するように形成されていることを特徴とする。
【００２３】
この構成によれば、共通の誘引部材を、第１底壁部における第２端壁部側の部分と、第２底壁部における第１端壁部側の部分とに配置することができる。
【００２４】
第６の発明は、上記容器の上壁部には、匍匐害虫を付着させて捕獲する粘着剤が設けられていることを特徴とする。
【００２５】
この構成によれば、容器の上壁部の内面に粘着剤が配置されることになるので、容器に導入された匍匐害虫が例えばゴキブリである場合には、羽根または背部が粘着剤に付着することになる。従って、脚を付着させる場合に比べて粘着剤との接触面積が広くなり、一旦捕獲した後に逃げ出してしまうゴキブリの数を減らすことが可能になる。
【００２６】
第７の発明は、上記容器には、上記導入口の下縁部から該容器の外方へ延出して上記載置面に載置される延出板部が設けられていることを特徴とする。
【００２７】
すなわち、底壁部の一部と載置面との間に隙間があると匍匐害虫捕獲器と載置面との接触面積が小さくなり、場合によっては、匍匐害虫捕獲器の安定性が低下するおそれがあるが、延出板部を載置面に載置することで載置面との接触面積が増え、匍匐害虫捕獲器が安定する。また、匍匐害虫が延出板部から導入口に入り易くなる効果も期待できる。
【００２８】
第８の発明は、上記容器は、上記導入口から該容器の奥へ行くほど上下方向の寸法が短くなるように形成されていることを特徴とする。
【００２９】
この構成によれば、導入口から容器の奥へ行くほど上下方向の寸法が短くなるので、粘着剤と匍匐害虫との距離が短くなり、匍匐害虫を粘着剤に確実に付着させることができる。
【発明の効果】
【００３０】
第１の発明によれば、匍匐害虫の導入空間を形成する容器の底壁部の一部と載置面との間に隙間を設けたので、載置面が平坦でない場合であっても匍匐害虫捕獲器を安定した状態で載置することができ、狙いとする捕獲能力を得ることができる。
【００３１】
第２の発明によれば、導入口が形成された端壁部を低くすることができるので、匍匐害虫が導入口に入り易くなる。また、底壁部を傾斜させることで、底壁部と載置面との間に、突出部等の突出高さに対応した隙間を容易に得ることができる。
【００３２】
第３の発明によれば、第１導入口が形成された第１端壁部及び第２導入口が形成された第２端壁部を低くすることができるので、匍匐害虫が第１導入口及び第２導入口に入り易くなる。また、第１底壁部及び第２底壁部を傾斜させることで、突出部等の突出高さに対応した隙間を容易に得ることができる。
【００３３】
第４の発明によれば、第１導入口の奥の方に誘引部材を配置できるので、匍匐害虫を容器の奥側まで誘き寄せることができ、捕獲能力をより一層高めることができる。
【００３４】
第５の発明によれば、共通の誘引部材を、第１底壁部における第２端壁部側の部分と、第２底壁部における第１端壁部側の部分とに配置することができるので、誘引部材の数が少なくて済む。
【００３５】
第６の発明によれば、容器の上壁部に粘着剤を設けることにより、匍匐害虫がゴキブリである場合に捕獲後に逃げ出してしまう個体を減少させることができる。
【００３６】
第７の発明によれば、導入口の下縁部から延出する延出板部を載置面に載置するようにしたので、匍匐害虫捕獲器をより一層安定させることができる。
【００３７】
第８の発明によれば、匍匐害虫の捕獲能力をより一層高めることができる。
【図面の簡単な説明】
【００３８】
【図１】本発明の実施形態に係る匍匐害虫捕獲器を上方から見た斜視図である。
【図２】匍匐害虫捕獲器の平面図である。
【図３】匍匐害虫捕獲器の側面図である。
【図４】匍匐害虫捕獲器の端面図である。
【図５】匍匐害虫捕獲器を下方から見た斜視図である。
【図６】図２におけるVI−VI線断面図である。
【図７】使用状態にある図６相当図である。
【図８】匍匐害虫捕獲器の容器となる板材を展開した状態の斜視図である。
【図９】匍匐害虫捕獲器の容器となる板材を折り曲げる途中を示す斜視図である。
【発明を実施するための形態】
【００３９】
以下、本発明の実施形態を図面に基づいて詳細に説明する。尚、以下の好ましい実施形態の説明は、本質的に例示に過ぎず、本発明、その適用物或いはその用途を制限することを意図するものではない。
【００４０】
図１は、本発明の実施形態に係る匍匐害虫捕獲器１を上方から見た斜視図であり、図２は、匍匐害虫捕獲器１の平面図である。この匍匐害虫捕獲器１は、匍匐害虫を捕獲するための器具である。匍匐害虫捕獲器１で捕獲する対象となる匍匐害虫としては、例えばゴキブリを挙げることができるが、ゴキブリに限られるものではなく、床や地面を歩行する様々な害虫であってもよい。ゴキブリには、クロゴキブリ、チャバネゴキブリ、ワモンゴキブリ等が含まれるとともに、各々、オス、メス、卵鞘を持ったメス、幼虫等が含まれる。匍匐害虫捕獲器１は、匍匐害虫を導入する容器２と、図６に示す粘着剤３と、誘引部材４とを少なくとも備えており、該容器２に導入した匍匐害虫を粘着剤３によって捕獲することができるように構成されている。粘着剤３は、容器２の内部に設けられている。また、誘引部材４は容器２の内部に収容されている。誘引部材４によって容器２の内部に誘引された匍匐害虫を粘着剤３によって捕獲することができる他、誘引されなくても容器２の内部に導入された匍匐害虫を粘着剤３によって捕獲することができる。
【００４１】
尚、この実施形態の説明では、各図に示すように匍匐害虫捕獲器１の前側及び後側を定義し、前側から見たときに右となる側を右側、左となる側を左側と定義するが、これは説明の便宜を図るためだけであり、実際の使用時の姿勢や運搬時の姿勢、製造時の姿勢を限定するものではない。例えば、匍匐害虫捕獲器１の前側が、使用者から向かって右や左、後に位置するように匍匐害虫捕獲器１を設置したり、匍匐害虫捕獲器１の前側が上や下に位置するように匍匐害虫捕獲器１を設置することもできる。
【００４２】
また、図６に示すように、匍匐害虫捕獲器１は、一般家庭や事務所、各種工場等の床面（設置面）２００に載置して使用することができる他、図示しないが地面に直接載置して使用することもできる。また、例えば、家具と壁の隙間や電化製品と壁の隙間等、匍匐害虫が歩行しそうな場所に設置することもできる。また、壁に沿わせて設置することや、家具や電化製品の上に設置して使用することもできる。
【００４３】
（容器２の構成）
容器２は、例えばボール紙等の厚紙からなる１枚の板材１００（図８、９に示す）が折り曲げられて構成されている。図６に示すように、容器２の内部には、匍匐害虫を導入する前側導入空間Ｒ１と後側導入空間Ｒ２とが形成されている。図８、９に示す板材１００は、厚紙や、厚紙に印刷層が設けられた部材以外にも例えば樹脂材等で構成されていてもよいが、組み立てた状態で長期間（短くても数週間から数ヶ月）に亘って形状を維持することができる形状維持性を備えた部材で構成するのが好ましい。
【００４４】
図１〜図６に示すように、容器２は、上壁部１１と、前側底壁部（第１底壁部）１２と、後側底壁部（第２底壁部）１３と、前端壁部（第１端壁部）１４と、後端壁部（第２端壁部）１５と、左側壁部１６と、右側壁部１７とを備えている。図２に示すように、前端壁部１４は容器２の前端部に位置する一方、後端壁部１５は容器２の後端部に位置している。容器２の平面視では、当該容器２の前後方向中央部を挟むように前端壁部１４と後端壁部１５とが位置することになる。前端壁部１４及び後端壁部１５の左右方向の寸法は略等しく設定されているが、異なる寸法にすることもできる。
【００４５】
上壁部１１は、載置面２００と略平行に延びている。図４に示すように、前端壁部１４は、上壁部１１の前縁部に連なり、下側へ行くほど左右方向の寸法が長くなるように形成されており、正面視で台形に近い形状となっている。また、図３や図６に示すように、前端壁部１４は上側へ行くほど後に位置するように傾斜している。図１に示すように、この前端壁部１４には、匍匐害虫を該容器２の内部に導入するための前側導入口（第１導入口）１４ａが形成されている。前端壁部１４の上端部が下端部よりも後に位置しているので、前側導入口１４ａは、斜め上方に向いて開口することになる。前側導入口１４ａの上縁部は、前端壁部１４の上下方向中央部近傍に位置しており、左右方向に直線状に延びている。また、前側導入口１４ａの下縁部は、容器２の底壁部１０の前端部近傍に位置しており、左右方向に直線状に延びている。また、前側導入口１４ａの右縁部及び左縁部は、それぞれ前端壁部１４の右縁部近傍及び前端壁部１４の左縁部近傍に位置しており、上下方向に直線状に延びている。
【００４６】
後端壁部１５は上壁部１１の後縁部に連なっている。後端壁部１５も前端壁部１４と同様に下側へ行くほど左右方向の寸法が長くなるように形成されており、正面視で台形に近い形状となっている。また、図３や図６に示すように、後端壁部１５は上側へ行くほど前に位置するように傾斜している。この後端壁部１５には、匍匐害虫を該容器２の内部に導入するための後側導入口（第２導入口）１５ａが形成されている。後端壁部１５の上端部が下端部よりも前に位置しているので、後側導入口１５ａは、斜め上方に向いて開口することになる。後側導入口１５ａの上縁部は、後端壁部１５の上下方向中央部近傍に位置しており、左右方向に直線状に延びている。また、後側導入口１５ａの下縁部は、容器２の底壁部１０の前端部近傍に位置しており、左右方向に直線状に延びている。また、後側導入口１５ａの右縁部及び左縁部は、それぞれ後端壁部１５の右縁部近傍及び後端壁部１５の左縁部近傍に位置しており、上下方向に直線状に延びている。
【００４７】
尚、前側導入口１４ａ及び後側導入口１５ａの形状は長方形に限られるものではなく、例えば、長円形、台形等であってもよい。また、図示しないが、前側壁部１４に複数の前側導入口を形成してもよいし、後端壁部１５に複数の後側導入口を形成してもよい。この場合、複数の前側導入口が前側壁部１４の上下に並ぶように形成することや、左右に並ぶように形成することができ、また複数の後側導入口が後側壁部１５の上下に並ぶように形成することや、左右に並ぶように形成することができる。前側導入口１４ａ及び後側導入口１５ａの形状は互いに異なっていてもよい。また、前側壁部１４の全体に前側導入口１４ａが開口する形態や、後側壁部１５の全体に後側導入口１５ａが開口する形態であってもよい。
【００４８】
図示しないが、容器２の前端部には返し部を設けることができる。前端部の返し部は、前側導入口１４ａの上縁部に連なるとともに、該上縁部から容器２の内部（後側）へ向かって延びるように形成することができる。また、容器２の後端部にも返し部を設けることができる。後端部の返し部は、後側導入口１５ａの上縁部に連なるとともに、該上縁部から容器２の内部（前側）へ向かって延びるように形成することができる。返し部は必須のものではないが、容器２の上に登った匍匐害虫が、前側導入口１４ａや後側導入口１５ａに対して上方から侵入しようとした際に脚が粘着剤３に触れることを阻止できるので、警戒心を抱かせることを抑制する効果を期待できる。また、導入空間Ｒ１、Ｒ２内に異物が侵入することを抑制する効果や、ユーザーの指が誤って粘着剤３に触れてしまうことを抑制する効果も期待できる。また、図示しないが、返し部の代わり、または返し部と共に容器２の前端部及び後端部に該容器２の外方へ突出する庇部を設けてもよい。
【００４９】
左側壁部１６は上壁部１１の左縁部に連なり、容器２の左端部に位置している。また右側壁部１７は上壁部１１の右縁部に連なり、容器２の右端部に位置している。容器２の平面視では、当該容器２の左右方向中央部を挟むように左端壁部１６と右端壁部１７とが位置することになる。左側壁部１６及び右側壁部１７の前後方向の寸法は略等しく設定されているが、異なる寸法にすることもできる。左側壁部１６及び右側壁部１７の前後方向の各寸法は、前端壁部１４及び後端壁部１５の左右方向の各寸法よりも長く設定されている。これにより、前端壁部１４及び後端壁部１５は、容器２の長手方向両端壁部となる。
【００５０】
容器２の底壁部は、該底壁部の前側を構成する前側底壁部１２と、該底壁部の後側を構成する後側底壁部１３とで構成されており、前側底壁部１２と後側底壁部１３とは分離している。前側底壁部１２と、上壁部１１の前側部分と、左側壁部１６の前側部分と、右側壁部１７の前側部分とにより、前側導入空間Ｒ１が区画形成される。後側底壁部１３と、上壁部１１の後側部分と、左側壁部１６の後側部分と、右側壁部１７の後側部分とにより、後側導入空間Ｒ２が区画形成される。前側導入空間Ｒ１の前端部は前側導入口１４ａと連通しており、この前側導入口１４ａを介して容器２の外部に開放される。後側導入空間Ｒ２の後端部は後側導入口１５ａと連通しており、この後側導入口１５ａを介して容器２の外部に開放される。
【００５１】
前側導入空間Ｒ１と後側導入空間Ｒ２とは一部が連通していてもよいし、前側導入空間Ｒ１と後側導入空間Ｒ２との間を完全に遮断するようにしてもよい。図示しないが、前側導入空間Ｒ１と後側導入空間Ｒ２との一部を連通させる場合には、前側底壁部１２及び後側底壁部１３と、上壁部１１との間に隙間を設け、この隙間を介して前側導入空間Ｒ１と後側導入空間Ｒ２とを連通させることができる。
【００５２】
図６に示すように、前側底壁部１２及び後側底壁部１３は、該前側底壁部１２及び後側底壁部１３の一部と匍匐害虫捕獲器１の載置面２００との間に隙間Ｓを有するように、該前側底壁部１２及び後側底壁部１３の一部が該載置面２００から離れるように形成されている。
【００５３】
すなわち、容器２の前側底壁部１２は、前側端壁部１４の下端部に連なり、該前側端壁部１４と連なる部分が最も低く、該前側端壁部１４から離れるに従って上に位置するように傾斜している。前側端壁部１４から離れる方向は、後側端壁部１５に近づく方向であり、言い換えると、前側底壁部１２は、後側端壁部１５側へ行くに従って上に位置するように傾斜した壁部である。前側底壁部１２の後端部は、容器２の前後方向中央部よりも前に位置している。
【００５４】
また、容器２の後側底壁部１３は、後側端壁部１５の下端部に連なり、該後側端壁部１５と連なる部分が最も低く、該後側端壁部１５から離れるに従って上に位置するように傾斜している。後側端壁部１５から離れる方向は、前側端壁部１４に近づく方向であり、言い換えると、後側底壁部１３は、前側端壁部１４側へ行くに従って上に位置するように傾斜した壁部である。後側底壁部１３の前端部は、容器２の前後方向中央部よりも後に位置している。よって、前側底壁部１２の後端部と、後側底壁部１３の前端部とは、前後方向に所定の寸法だけ離れている。尚、前側底壁部１２と後側底壁部１３とは容器２の前後方向に連続させてもよい。この場合、容器２は１つの底壁部を備えることになり、底壁部の前後方向一端部が最も下に位置し、他端部に向かって徐々に高くなるように、該底壁部を傾斜させることができる。
【００５５】
上壁部１１が載置面２００と略平行である一方、前側底壁部１２及び後側底壁部１３が上述したように傾斜しているので、容器２は、前側導入口１４ａから該容器２の奥へ行くほど上下方向の寸法が短くなるとともに、後側導入口１５ａから該容器２の奥へ行くほど上下方向の寸法が短くなるように形成される。すなわち、前側導入空間Ｒ１の前端部及び後側導入空間Ｒ２の後端部の上下方向の寸法が最も長く、前側導入空間Ｒ１の後端部及び後側導入空間Ｒ２の前端部の上下方向の寸法が最も短くなる。前側導入空間Ｒ１の前端部及び後側導入空間Ｒ２の後端部の上下方向の寸法を長くすることで、前側導入口１４ａ及び後側導入口１５ａの上下方向の開口寸法を長くすることができる。
【００５６】
容器２の前側底壁部１２と後側底壁部１３との傾斜角度は同じにすることもできるし、一方を他方よりも緩やかにすることもできる。また、前側底壁部１２及び後側底壁部１３は湾曲させてもよく、この場合も、載置面２００との間に隙間Ｓを形成することができる。また、前側底壁部１２及び後側底壁部１３は一部のみ傾斜または湾曲させてもよく、この場合も、載置面２００との間に隙間Ｓを形成することができる。さらに、前側底壁部１２及び後側底壁部１３の一方のみ傾斜または湾曲させ、他方は載置面２００に沿って延びるように形成してもよい。
【００５７】
図６に示すように、匍匐害虫捕獲器１を載置面２００に載置すると、容器２の前側底壁部１２の前端部とその近傍が載置面２００に接触することになる。前側底壁部１２の載置面２００との接触部分よりも後側は、載置面２００から上方に離れることになる。前側底壁部１２が上述のように傾斜しているので、前側底壁部１２と載置面２００との上下方向の離間寸法Ｈ１は、前側底壁部１２の後端部に近づくほど長くなる。離間寸法Ｈ１の最大寸法は、例えば５ｍｍ以上２０ｍｍ以下に設定することができるが、これに限られるものではない。
【００５８】
また、匍匐害虫捕獲器１を載置面２００に載置すると、容器２の後側底壁部１３の後端部とその近傍が載置面２００に接触することになる。後側底壁部１３の載置面２００との接触部分よりも前側は、載置面２００から上方に離れることになる。後側底壁部１３が上述のように傾斜しているので、後側底壁部１３と載置面２００との上下方向の離間寸法Ｈ２は、後側底壁部１３の前端部に近づくほど長くなる。離間寸法Ｈ２は離間寸法Ｈ１と同様に設定することができるが、離間寸法Ｈ２と離間寸法Ｈ１とは変えてもよい。
【００５９】
図２に示すように、前側底壁部１２は、左側壁部１６よりも左側へ延出するとともに、右側壁部１７よりも右側へ延出している。よって、前側底壁部１２の左右方向の寸法は、上壁部１１の左右方向の寸法よりも長くなっている。図１に示すように、左側壁部１６の前側縁部１６ａは、前側底壁部１２から上方に離れるように形成されており、前側縁部１６ａと前側底壁部１２の左側との間には、前後方向に長いスリット状の開口が形成されることになる。図３に示すように、右側壁部１７の前側縁部１７ａも前側底壁部１２から上方に離れるように形成されており、前側縁部１７ａと前側底壁部１２の右側との間にも前後方向に長いスリット状の開口が形成されることになる。前側導入空間Ｒ１は、左右のスリット状の開口と連通しており、該左右のスリット状の開口を介して容器２の外部に開放される。
【００６０】
図２に示すように、後側底壁部１３も左側壁部１２よりも左側へ延出するとともに、右側壁部１３よりも右側へ延出しており、従って、後側底壁部１３の左右方向の寸法は、上壁部１１の左右方向の寸法よりも長くなっている。図１に示すように、左側壁部１６の後側縁部１６ｂは、後側底壁部１３から上方に離れるように形成されており、後側縁部１６ｂと後側底壁部１３の左側との間には、前後方向に長いスリット状の開口が形成されることになる。図３に示すように、右側壁部１７の後側縁部１７ｂも後側底壁部１３から上方に離れるように形成されており、後側縁部１７ｂと後側底壁部１３の右側との間にも前後方向に長いスリット状の開口が形成されることになる。後側導入空間Ｒ２は、左右のスリット状の開口と連通しており、該左右のスリット状の開口を介して容器２の外部に開放される。
【００６１】
図１に示すように、前側底壁部１２には、前側導入口１４ａの下縁部から容器２の外方へ延出して載置面２００に載置される前側延出板部１２ａが設けられている。図３に示すように、後側底壁部１３には、後側導入口１５ａの下縁部から容器２の外方へ延出して載置面２００に載置される後側延出板部１３ａが設けられている。前側延出板部１２ａ及び後側延出板部１３ａは、左右方向に延びており、左右方向の寸法が前後方向の寸法よりも長く設定されている。前側延出板部１２ａ及び後側延出板部１３ａを設けることにより、匍匐害虫捕獲器１と載置面２００との接触面積を広く確保することができる。
【００６２】
図１に示すように、左側壁部１６の前後方向中央部には左側脚部１６ｃが形成されている。左側脚部１６ｃは下方へ延びるとともに、前後方向に延びる板状をなしている。左側脚部１６ｃの下端部は、匍匐害虫捕獲器１を載置面２００に載置した状態で該載置面２００に接触するように配置されている。図３に示すように、右側壁部１７の前後方向中央部にも左側脚部１６ｃと同様な右側脚部１７ｃが形成されている。左側脚部１６ｃ及び右側脚部１７ｃは省略することもできる。
【００６３】
図５に示すように、前側底壁部１２の後部における左右方向中央部には、中央切欠部１２ｂが形成されている。中央切欠部１２ｂは左右方向に長い形状となっている。前側底壁部１２の後部における左側及び右側には、それぞれ側方切欠部１２ｃ（図８にも示す）が形成されている。側方切欠部１２ｃの左右方向の寸法は、中央切欠部１２ｂの左右方向の寸法よりも短くなっている。図５や図８に示すように、後側底壁部１３の後部にも前側底壁部１２と同様に、中央切欠部１３ｂ及び側方切欠部１３ｃが形成されている。
【００６４】
図８に示すように、左側壁部１６における左側脚部１６ｃの上部近傍には、前後両側にそれぞれ切れ込み部１６ｄが形成されている。右側壁部１７における右側脚部１７ｃの上部近傍にも前後両側にそれぞれ切れ込み部１７ｄが形成されている。図５に示すように、左側壁部１６の前側の切れ込み部１６ｄが形成された部分は、前側底壁部１２の左側の側方切欠部１２ｃに差し込まれ、前側底壁部１２の一部が左側壁部１６の左側の切れ込み部１６ｄに差し込まれた状態で保持されるようになっている。また、右側壁部１７の前側の切れ込み部１７ｄが形成された部分は、前側底壁部１２の右側の側方切欠部１２ｃに差し込まれ、前側底壁部１２の一部が右側壁部１７の前側の切れ込み部１７ｄに差し込まれた状態で保持されるようになっている。
【００６５】
また、左側壁部１６の後側の切れ込み部１６ｄが形成された部分は、後側底壁部１３の左側の側方切欠部１３ｃに差し込まれ、後側底壁部１３の一部が左側壁部１６の後側の切れ込み部１６ｄに差し込まれた状態で保持されるようになっている。また、右側壁部１７の後側の切れ込み部１７ｄが形成された部分は、後側底壁部１３の右側の側方切欠部１３ｃに差し込まれ、後側底壁部１３の一部が右側壁部１７の後側の切れ込み部１７ｄに差し込まれた状態で保持されるようになっている。
【００６６】
（粘着剤３の構成）
図６に示す粘着剤３は、従来から匍匐害虫を捕獲する場合に使用されているものを用いることができる。この実施形態では、上壁部１１の前端部近傍から後端部近傍まで連続し、かつ、上壁部１１の左端部近傍から右端部近傍まで連続して粘着剤３が設けられているが、これに限らず、上壁部１１の前後方向に不連続に設けてもよいし、上壁部１１の左右方向に不連続に設けてもよい。粘着剤３は、上壁部１１の前側部分と後側部分とで別々に設けてもよい。粘着剤３は、前側底壁部１２の上面、後側底壁部１３の上面に設けてもよい。
【００６７】
上記粘着剤３には、図示しないが剥離紙が設けられている。剥離紙は使用開始前に粘着剤３から剥離する。
【００６８】
（誘引部材４の構成）
図６に示すように、誘引部材４は、通気性を有する袋体４ａと、袋体４ａの内部に収容される誘引剤４ｃとを備えている。誘引剤４ｃは、従来から周知の匍匐害虫を誘引するための薬剤等を挙げることができ、例えば粉状または粒状の薬剤であってもよいし、餌等であってもよい。誘引剤４ｃの誘引成分は、袋体４ａを通過して外部に放散されるようになっている。袋体４ａは、上記粘着剤３によって上壁部１１に接着することができる。
【００６９】
誘引部材４の前後方向の寸法は長く設定されており、これにより、誘引部材４は、前側底壁部１２における後側部分（後端壁部１５側の部分）と上壁部１１との間に設けられるとともに、後側底壁部１３における前側部分（前端壁部１４側の部分）と上壁部１１との間に設けられることになる。つまり、誘引部材４は、前側底壁部１２と上壁部１１との間から、後側底壁部１２と上壁部１１との間に達するように形成されている。これにより、１つの誘引部材４の誘引成分を前側導入空間Ｒ１と後側導入空間Ｒ２とに放散させることができる。
【００７０】
尚、図示しないが、誘引部材４は、誘引剤を収容する誘引剤容器を備えていてもよい。この場合、誘引剤を液体として誘引剤容器に収容しておくことができる。誘引剤容器は、前側底壁部１２の中央切欠部１２ｂ及び後側底壁部１３の中央切欠部１３ｂに嵌めるようにして固定することができる。誘引剤容器も上記粘着剤３によって上壁部１１に接着することができる。
【００７１】
また、誘引部材４は、前側導入空間Ｒ１と後側導入空間Ｒ２とにそれぞれ設けてもよい。
【００７２】
（板材１００の構成）
図８及び図９に示すように、板材１００は、上壁部１１と、前側底壁部１２と、後側底壁部１３と、前端壁部１４と、後端壁部１５と、左側壁部１６と、右側壁部１７とが連なった形状とされている。板材１００における上壁部１１に上記粘着剤３が塗工機（図示せず）によって塗布されている。
【００７３】
（匍匐害虫捕獲器１の製造方法）
次に、上記のように構成された匍匐害虫捕獲器１の製造方法について説明する。まず、図８に示すような板材１００を得る。その後、図９に示すように各部を折り曲げて図１に示すような形状にする。板材１００を折り曲げる前に、誘引部材４を上壁部１１に接着しておく。
【００７４】
製造時には、左側壁部１６の前側の切れ込み部１６ｄ及び右側壁部１７の前側の切れ込み部１７ｄに前側底壁部１２を差し込み、また左側壁部１６の後側の切れ込み部１６ｄ及び右側壁部１７の後側の切れ込み部１７ｄに後側底壁部１３を差し込む。これにより、前側底壁部１２と後側底壁部１３とが左側壁部１６及び右側壁部１７に保持され、図６に示すように、前側底壁部１２及び後側底壁部１３と匍匐害虫捕獲器１の載置面２００との間に隙間Ｓを形成することが可能な匍匐害虫捕獲器１を得ることができる。
【００７５】
この実施形態では、板材１００が１枚である場合について説明したが、これに限らず、図示しないが複数枚の板材を組み合わせることによって匍匐害虫捕獲器１を構成してもよい。
【００７６】
（実施形態の作用効果）
以上説明したように、この実施形態に係る匍匐害虫捕獲器１によれば、匍匐害虫捕獲器１を載置面２００に載置した状態で、前側底壁部１２及び後側底壁部１３と載置面２００との間に隙間Ｓを形成することができるので、載置面２００に突出部等があった場合に、突出部等を上記隙間Ｓ内に配置するか、突出部等が上記隙間Ｓ内に位置するように匍匐害虫捕獲器１を配置することで、匍匐害虫捕獲器１が突出物等に乗った状態とはならず、匍匐害虫捕獲器１の姿勢が安定する。また、匍匐害虫捕獲器１の前側導入口１４ａ及び後側導入口１５ａが載置面２００から浮いてしまうのを抑制することをも可能になる。よって、狙いとする捕獲能力を得ることができる。
【００７７】
また、図７に示すように、容器２の上壁部１１の内面に粘着剤３が配置されることになるので、容器２に導入された匍匐害虫が例えばゴキブリである場合には、羽根または背部が粘着剤３に付着することになる。従って、脚を付着させる場合に比べて粘着剤３との接触面積が広くなり、一旦捕獲した後に逃げ出してしまうゴキブリの数を減らすことが可能になる。
【００７８】
また、前側導入口１４ａから容器２の奥へ行くほど上下方向の寸法が短くなるので、粘着剤３と匍匐害虫との距離が短くなり、匍匐害虫を粘着剤３に確実に付着させることができる。後側導入口１５ａから導入した匍匐害虫も同様である。
【００７９】
また、誘引部材４から放散される誘引成分は前側導入口１４ａ側及び後側導入口１５ａ側に流れるようになる。これにより、誘引成分が前側導入口１４ａ及び後側導入口１５ａから外部に放散されるので、誘引部材４の数を少なくしながら、両導入口１４ａ、１５ａへの誘引効果が十分に得られる。
【００８０】
上述の実施形態はあらゆる点で単なる例示に過ぎず、限定的に解釈してはならない。さらに、特許請求の範囲の均等範囲に属する変形や変更は、全て本発明の範囲内のものである。
【産業上の利用可能性】
【００８１】
以上説明したように、本発明に係る匍匐害虫捕獲器は、例えば、ゴキブリ等の匍匐害虫を捕獲する場合に使用することができる。
【符号の説明】
【００８２】
１                匍匐害虫捕獲器
２                容器
３                粘着剤
４                誘引部材
１１              上壁部
１２              前側底壁部（第１底壁部）
１３              後側底壁部（第２底壁部）
１４              前端壁部（第１端壁部）
１４ａ            前側導入口（第１導入口）
１５              後端壁部（第２端壁部）
１５ａ            後側導入口（第２導入口）
１００            板材
２００            載置面
【図１】
2019170204.tif 000003
【図２】
2019170204.tif 000004
【図３】
2019170204.tif 000005
【図４】
2019170204.tif 000006
【図５】
2019170204.tif 000007
【図６】
2019170204.tif 000008
【図７】
2019170204.tif 000009
【図８】
2019170204.tif 000010
【図９】
2019170204.tif 000011